(57)【要約】【課題】包装箱に収納される薄板部材を包装箱の上部まで持ち上げなくても収納作業ができ、薄板部材の収納作業時の落下等による衝撃による損傷が起きにくい構造の薄板部材の収納包装箱を提供する。【解決手段】収納箱５０を側壁の１つが開口した未完成な状態で形成し、収納すべき薄板部材を開口から搬入し、搬入が終了した後、収納箱５０の開口を覆って側壁を形成し収納箱５０が完成するように構成した。【選択図】  図１
2004291978.tif 000002
【特許請求の範囲】
【請求項１】
フォークリフトの一対のフォークを挿入して収納できる空間を形成する基台と、
該基台の上面に配置され、四辺にそれぞれ折り曲げ可能に側板が延設された天板と、
中央壁板の両側に扉状に側壁板が折り曲げ可能に延設された断面コの字型の形状であって、前記天板の上面に載置されて前記各壁板が前記天板の連続する３つの側板と接合されて側壁の１つが開口した収納箱を形成する第１の壁板形成部材と、
該収納箱内の前記中央壁板に平行に配置される仕切り板と、該仕切り板に直交させて嵌め合わせる複数の仕切り用側板とからなり、前記仕切り板の両側に仕切り用側板が配置されて手前が開口した収納部を形成して緩衝材と共に薄板部材を該収納部に収納後、その手前に別の仕切り用側板を配置して前記収納箱内に前記薄板部材を緩衝材と共に収納することが可能な仕切り部材と、
中央壁板の両側に扉状に側壁板が折り曲げ可能に延設された断面コの字型の形状であって、前記仕切り部材の外側を覆うように前記収納箱内に配置されて前記収納箱の側壁を完成させる第２の壁板形成部材と、
側壁が完成した前記収納箱に被せられる上蓋とを備えたことを特徴とする薄板部材の収納包装箱。
【請求項２】
請求項１記載の薄板部材の収納包装箱において、
側壁が完成した前記収納箱における前記第２の壁板形成部材の中央壁板の上に前記底蓋の開口している側壁を折り曲げて重ね合わせ、前記上蓋が被せられた前記収納箱の外側をひも又は帯状体により巻き締めされて前記上蓋と前記側壁と前記天板及び前記基台が固定されていることを特徴とする薄板部材の収納包装箱。
【請求項３】
請求項１又は２記載の薄板部材の収納包装箱において、前記天板は前記基台の上面に一体に接合されていることを特徴とする薄板部材の収納包装箱。
【請求項４】
請求項１から３のいずれか１項記載の薄板部材の収納包装箱において、前記第１の壁板形成部材は前記天板の四辺にそれぞれ折り曲げ可能に延設された側板に着脱可能な固定治具を用いて接合されていることを特徴とする薄板部材の収納包装箱。
【請求項５】
請求項１から４のいずれか１項記載の薄板部材の収納包装箱において、前記基台は少なくとも３箇所の桁部が設けられていることを特徴とする薄板部材の収納包装箱。
【請求項６】
請求項１から５のいずれか１項記載の薄板部材の収納包装箱において、前記基台は少なくとも桁部との間にフォークリフトのフォークが挿入できる２箇所の差し込み口が設けられていることを特徴とする薄板部材の収納包装箱。
【請求項７】
請求項１から６のいずれか１項記載の薄板部材の収納包装箱において、前記収納箱を形成した前記天板の上面に緩衝用スペーサが敷かれていることを特徴とする薄板部材の収納包装箱。
【請求項８】
請求項１から７のいずれか１項記載の薄板部材の収納包装箱において、前記緩衝用スペーサは板紙、金属、樹脂、木材のいずれか一種以上の板材と、該板材の片面部分に緩衝効果のある発泡材、樹脂材、紙材、段ボール材のいずれか一種以上とが接合されて形成されていることを特徴とする薄板部材の収納包装箱。
【発明の詳細な説明】
【０００１】
【発明の属する技術分野】
本発明は、液晶パネルや磁気ディスク用ガラス基板などの電子機器用薄板部材、或いは自動車のフロントガラス等を搬送する際に用いる薄板部材の収納包装箱に関するものである。
【０００２】
【従来の技術】
一般に、液晶用ガラス基板や磁気ディスク用ガラス基板などの薄いガラス板に半導体素子等電子機能素子や各種薄膜等精密部材を組み込んだものが使用されている。このようなガラス板を搬送する際には、ガラス板自身や組み込んだ精密部材を損傷しないように、表面を保護しなければならない。そのため、従来は、ガラス板の周縁部にのみ接する額縁状の緩衝材を介して複数枚のガラス板を重ねて梱包したり、或いは、内側にガラス板の端部を把持する複数の溝部を形成した搬送箱を用い、各溝部にガラス板を差し込んで保持するガラス板搬送箱が提案されている。（例えば特許文献１参照）
【０００３】
【特許文献１】
特開２００１−３１１６５
【０００４】
上記特許文献１（特開２００１−３１１６５）に記載されたガラス板搬送箱について、図６を参照して説明する。ガラス板搬送箱は、上面が開口した発泡樹脂成形体からなる本体１０１と、該本体の上面を覆う蓋体１０２と、本体底面の外側に配置され該底面下に空間を形成する複数の底台１０７とを有し、上記本体内側の一対の相対する側面にそれぞれガラス板端部を把持する上下方向の溝部１１０を複数本有し、少なくとも一方の側面の溝部１１０に、ガラス板端部を把持する溝を複数本形成した側面パッド１０３の側板部１０４を差し込んで溝部１１０に着脱可能に収納し、側板部１０４を溝部１１０内で前後させることによって、ガラス板の大きさに対応させるように、側面パッド１０３がガラス板に平行な方向に位置を変更可能である。
【０００５】
側面パッド１０３は、本体１０１の側面に平行な側板部１０４、及び、本体の底面に平行な底板部１０５を備え、断面がＬ字形状に構成されている。そして、本体１０１には、ガラス板端部を把持する溝部を複数本形成した底面パッド１０６が着脱可能に収納され、さらに、本体１０１の底面には底台１０７を複数配置させて底面下に空間を形成し、フォークリフトによる取り扱いを可能にしている。また、本体１０１に切り欠き部１０９を形成する一方、本体１０１の上面を覆う蓋体１０２には嵌合パッド１０８を取り付けて本体１０１と蓋体１０２とを嵌合する。
【０００６】
【発明が解決しようとする課題】
液晶パネルや磁気ディスク用ガラス基板などの電子機器用薄板部材等僅かな衝撃で損傷し易い薄板部材、或いは自動車のフロントガラス、平板状のガラス板のように重量があるガラス板等を、包装箱の上面の開口から挿入して収納する場合、高い位置まで持ち上げて衝撃を与えないように作業する必要があり、重量がある薄板部材を持ち上げる作業は重労働であり、しかも、包装箱の上面の開口から挿入して収納する際に薄板部材に衝撃を与えてしまう事態が起こり易く包装箱の改善が望まれていた。
【０００７】
本発明は、上記課題を解決するために提案されたもので、包装箱に収納される薄板部材を包装箱の上部まで持ち上げなくても収納作業ができ、薄板部材の収納作業時の落下等による衝撃による損傷が起きにくい構造の薄板部材の収納包装箱を提供することを目的とする。
【０００８】
【課題を解決するための手段】
前記目的達成のため、請求項１記載の発明は、フォークリフトの一対のフォークを挿入して収納できる空間を形成する基台と、該基台の上面に配置され、四辺にそれぞれ折り曲げ可能に側板が延設された天板と、中央壁板の両側に扉状に側壁板が折り曲げ可能に延設された断面コの字型の形状であって、前記天板の上面に載置されて前記各壁板が前記天板の連続する３つの側板と接合されて側壁の１つが開口した収納箱を形成する第１の壁板形成部材と、該収納箱内の前記中央壁板に平行に配置される仕切り板と、該仕切り板に直交させて嵌め合わせる複数の仕切り用側板とからなり、前記仕切り板の両側に仕切り用側板が配置されて手前が開口した収納部を形成して緩衝材と共に薄板部材を該収納部に収納後、その手前に別の仕切り用側板を配置して前記収納箱内に前記薄板部材を緩衝材と共に収納することが可能な仕切り部材と、中央壁板の両側に扉状に側壁板が折り曲げ可能に延設された断面コの字型の形状であって、前記仕切り部材の外側を覆うように前記収納箱内に配置されて前記収納箱の側壁を完成させる第２の壁板形成部材と、側壁が完成した前記収納箱に被せられる上蓋とを備えたことを特徴とする薄板部材の収納包装箱である。
【０００９】
また、請求項２記載の発明は、上記薄板部材の収納包装箱において、側壁が完成した前記収納箱における前記第２の壁板形成部材の中央壁板の上に前記底蓋の開口している側壁を折り曲げて重ね合わせ、前記上蓋が被せられた前記収納箱の外側をひも又は帯状体により巻き締めされて前記上蓋と前記側壁と前記天板及び前記基台が固定されていることを特徴とする薄板部材の収納包装箱である。
【００１０】
また、請求項３記載の発明は、上記薄板部材の収納包装箱において、前記天板は前記基台の上面に一体に接合されているものである。
【００１１】
また、請求項４記載の発明は、上記薄板部材の収納包装箱において、前記第１の壁板形成部材は前記天板の四辺にそれぞれ折り曲げ可能に延設された側板に着脱可能な固定治具を用いて接合されているものである。
【００１２】
また、請求項５記載の発明は、上記薄板部材の収納包装箱において、前記基台は少なくとも３箇所の桁部が設けられているものである。
【００１３】
また、請求項６記載の発明は、上記薄板部材の収納包装箱において、前記基台は少なくとも桁部との間にフォークリフトのフォークが挿入できる２箇所の差し込み口が設けられているものである。
【００１４】
また、請求項７記載の発明は、上記薄板部材の収納包装箱において、前記収納箱を形成した前記天板の上面に緩衝用スペーサが敷かれているものである。
【００１５】
また、請求項８記載の発明は、上記薄板部材の収納包装箱において、前記緩衝用スペーサは板紙、金属、樹脂、木材のいずれか一種以上の板材と、該板材の片面部分に緩衝効果のある発泡材、樹脂材、紙材、段ボール材のいずれか一種以上とが接合されて形成されているものである。
【００１６】
【発明の実施の形態】
以下、本発明に係る薄板部材の収納包装箱の実施の形態を図面に基づいて説明する。図１は本発明の第１実施形態を示す分解斜視図、図２は図１の収納包装箱の外郭部分の分解斜視図、図３は図１の収納包装箱の仕切り部材の分解斜視図、図４は図１の収納包装箱の梱包が完成した状態の斜視図、図５は図４のＡ−Ａ線での断面図、図６は従来例を示す分解斜視図である。
【００１７】
図１乃至図３において、基台１０は複数の段ボール製の長い板材１１，１１，・・と複数の段ボール製の短い板材１２，１２・・を直交させて嵌め合わせた格子状の形状である。それぞれの長い板材１１には所定間隔離反した切欠き１３ａ，１３ｂが略同じ位置に形成されており、格子状に組立てられた基台１０では、複数の長い板材１１，１１，・・とが短い板材１２，１２・・が共に平行に所定間隔離反して連続して配列されている。そして、短い板材１２，１２・・により基台１０には少なくとも３箇所の桁部１０ａ，１０ｂ，１０ｃが設けられ、また、切欠き１３ａ，１３ａ・・と１３ｂ，１３ｂ・・の連続して配列された個所が、図示しないフォークリフトの一対のフォーク（爪）を挿入して収納できる空間を形成している。
【００１８】
基台１０の上面には、段ボール製の天板２０が配置されている。天板２０は長方形の基板２１の四辺にそれぞれ折り曲げ可能に側板２２，２３，２４，２５が延設されている。天板２０と基台１０は別体で形成されてもよいが、この実施例では、天板２０は基台１０の上部に接着剤により一体化されてパレット３０を形成している。また、天板２０の各側板２２，２３，２４には、所定間隔離反して水平に、それぞれ一対の係合孔２２ａ，２２ｂ，２３ａ，２３ｂ，２４ａ，２４ｂが設けられている。
【００１９】
段ボール製の第１の壁板形成部材４０は中央壁板４３の両側に扉状に側壁板４２，４４が折り曲げ可能に延設された断面コの字型の形状であり、中央壁板４３ａ及び、側板４２，４４の下部には、所定間隔離反して水平に、それぞれ一対の係合孔４３ａ４３ｂ，４２ａ，４２ｂ，４４ａ，４４ｂが設けられている。第１の壁板形成部材４０は、中央壁板４３の両側の側壁板４２，４４をそれぞれ略直角に折り曲げて、その開口側を天板２０の側板２５に向けた状態で基板２１上に載置される。
【００２０】
天板２０の基板２１上に第１の壁板形成部材４０が載置された後、天板２０の側板２２，２３，２４を略直角に折り曲げて、各側板２２，２３，２４の一対の係合孔２２ａ，２２ｂ，２３ａ，２３ｂ，２４ａ，２４ｂを、第１の壁板形成部材４０の中央壁板４３と側壁板４２，４４のそれぞれの下部に一対づつ設けた係合孔４３ａ４３ｂ，４２ａ，４２ｂ，４４ａ，４４ｂと合致させて、着脱可能な複数の固定具３１，３１，・・・を各側板２２，２３，２４のそれぞれに一対づつ設けた係合孔２２ａ，２２ｂ，２３ａ，２３ｂ，２４ａ，２４ｂに差込んで、第１の壁板形成部材４０の中央壁板４３、側壁板４２，４４に設けた係合孔４３ａ４３ｂ，４２ａ，４２ｂ，４４ａ，４４ｂのそれぞれに貫通させた状態で係合固定させて、天板２０の側板２２，２３，２４を第１の壁板形成部材４０の中央壁板４３、及び、側壁板４２，４４と接合する。こうして、天板２０の上面に載置された第１の壁板形成部材４０の各壁板４２，４３，４４が天板２０の連続する３つの側板２２，２３，２４と接合して上部及び側壁の１つが開口した未完成な状態の段ボール製の収納箱５０が形成される。このとき天板２０の側板２５は折り曲げないので収納箱５０の開口側の底部に側板２５による突出面部が形成される。
【００２１】
収納箱５０を形成した天板２０の上面（基板２１）の上には、緩衝用スペーサ５１を配置する。緩衝用スペーサ５１は段ボール製板材、板紙、金属、樹脂、木材のいずれか一種以上の板材５２と、板材５２の片面部分に緩衝効果のある発泡スチロールなどの発泡材、樹脂材、紙材、段ボール材のいずれか一種以上の緩衝材（例えば発泡スチロール）５３とが接合されて形成されている。
【００２２】
基板２１の上に緩衝用スペーサ５１を配置した収納箱５０内には、収納部材（薄板部材）６５の大きさに合わせて上下が開口した四角筒状の区画部６３１，６３２，６３３や、上下及び側面が開口した角溝状の未完成の区画部６３０，６３４，６３５ａ，６３５ｂ，６３６ａ，６３６ｂ，６３７ａ，６３７ｂを有する格子枠状の段ボール製の仕切り部材６０が配置される。仕切り部材６０は、幅方向に所定長さのスリット６１ａが複数設けられ第１の壁板形成部材４０の中央壁板４３に平行に配置される段ボール製の仕切り板６１，６１，・・と、幅方向に所定長さのスリット６２ａが複数設けられ、仕切り板６１，６１，・・に直交させて嵌め合わせる段ボール製の仕切り側板６２，６２とで形成される。仕切り部材６０は組立ての途中段階で薄板部材６５を緩衝材６６とともに所定の区画部の空間内に収納した状態で、組立てを完成させて収納箱５０内に配置される。
【００２３】
仕切り部材６０の組立ては、先ず、１枚の仕切り板６１の両側に仕切り用側板６２，６２を１枚づつ直交させて嵌め合わせて、仕切り板６１の後面側で収納箱５０内の後方（奥の端部）に上下及び後方側面が開口した角溝状の未完成の区画部６３０を形成する。区画部６３０は、第１の壁板形成部材４０の中央壁板４３で側面の開口が覆われて四角筒状の区画部６３０が完成する。また、仕切り板６１の前面側（区画部６３０の隣）では、前方が開口した未完成の区画部６３１が形成される。続いて仕切り用側板６２，６２に仕切り板６１を直交させて嵌め合わせて四角筒状の区画部６３１が完成する。このときも同様に、区画部６３１の隣（前方）に前方が開口した未完成の区画部６３２を形成する。
【００２４】
この未完成の区画部６３２は前方が開口しており、収納箱５０の開口側から収納すべき部材を収納箱５０の上部まで持ち上げずに未完成の区画部６３２内に搬入する。部材を区画部６３２内に搬入する場合、先ず、仕切り板６１と当接しても差し支えない段ボール板やアクリル板、保護用のガラス板等の保護用薄板部材６７を搬入する。続いて薄板部材６５を緩衝材６６と共に順次搬入し、最後に再び保護用薄板部材６７を搬入する。このように一対の保護用薄板部材６７，６７の間に複数の薄板部材６５，６５，・・を緩衝材６６，６６，・・と共に収納箱５０の上部まで持ち上げることなく未完成の区画部６３２の前方の収納箱５０の開口側から搬入し、そのまま区画部６３２に収納する。搬入が終了した後、仕切り用側板６２，６２の前方側に２枚の仕切り板６１，６１を順次組込んで、未完成の区画部６３２の前方の開口を塞いで複数の薄板部材６５，６５，・・を緩衝材６６，６６，・・と共に収納した状態で四角筒状の区画部６３２を完成させ、その隣（前方）に区画部６３３を完成させ、区画部６３３の外側（前方）に上下及び側面が開口した区画部６３４を角溝状に未完成状態で形成して仕切り部材６０の組み立てを完成させる。
【００２５】
組み立てた格子枠状の仕切り部材６０は、組立てが完成した段階で仕切り板６１，６１，・・と仕切り側板６２，６２とで上下が開口した四角筒状の区画部６３１，６３２，６３３及び、これら四角筒状の区画部６３１，６３２，６３３の前後の外側に上下及び側面が開口した区画部６３０及び６３４が角溝状に未完成状態で形成される。また、四角筒状の区画部６３１，６３２，６３３の左の外側に上下及び側面が開口した区画部６３５ａ，６３６ａ，６３７ａが角溝状に未完成状態で形成され、右の外側に上下及び側面が開口した区画部６３５ｂ，６３６ｂ，６３７ｂが角溝状に未完成状態で形成される。
【００２６】
仕切り部材６０の組み立てが完成した後、第１の壁板形成部材４０と略同じ形の段ボール製の第２の壁板形成部材７０を仕切り部材６０の外側を覆うように収納箱５０内に配置する。第２の壁板形成部材７０は、中央壁板７５の両側に扉状に側壁板７２，７４が折り曲げ可能に延設された断面コの字型の形状であり、中央壁板７５の両側の側壁板７２，７４をそれぞれ略直角に折り曲げて、第１の壁板形成部材４０の各側壁板４２，４４と仕切り部材６０との間に差込まれ、第１の壁板形成部材４０と対向して収納箱５０内に配置され、第２の壁板形成部材７０の中央壁板７５が収納箱５０の開口を覆って側壁を形成して収納箱５０が完成する。
【００２７】
収納箱５０の内側の側壁は第１の壁板形成部材４０の中央壁板４３と第２の壁板形成部材７０の各壁板７２，７５，７４で形成されており、収納箱５０内に仕切り部材６０が配置された状態では、壁板７２が上下及び側面が開口した角溝状の未完成の区画部６３５ａ，６３６ａ，６３７ａの側面の開口を覆って、四角筒状の区画部６３５ａ，６３６ａ，６３７ａが完成している。また、壁板７４が上下及び側面が開口した角溝状の未完成の区画部６３５ｂ，６３６ｂ，６３７ｂの側面の開口を覆って、四角筒状の区画部６３５ｂ，６３６ｂ，６３７ｂが完成している。また、壁板４３，７５がそれぞれ上下及び側面が開口した角溝状の区画部６３０，６３４の側面の開口を覆って、前方の端部に四角筒状の区画部６３０，６３４が完成している。
【００２８】
こうして、収納箱５０内の仕切り部材６０の中央の区画部６３２に複数の薄板部材６５，６５，・・が緩衝材６６，６６，・・と共に収納されると、中央の区画部６３２の後方の区画部６３１と、区画部６３２の前方の区画部６３３に隔室スペーサ８６，８６を挿入する。また、仕切り部材６０の中央の区画部６３２の左右の区画部６３６ａ，６３６ｂには、緩衝用スペーサ５１と同様の構成（板材８２に緩衝材８３とが接合された）の緩衝用スペーサ８４，８４を挿入する。さらに、区画部６３１，６３３のそれぞれの外側の区画部６３０，６３４には、緩衝用スペーサ５１と同様の構成（板材８５に緩衝材５３が接合された）の緩衝用スペーサ８７，８７を挿入する。
【００２９】
その後、収納箱５０の上部から段ボール製の板材で形成した蓋９０を被せる。そして、収納箱５０の開口側の底部に形成された側板２５による突出面部を折り曲げて、第２の壁板形成部材７０の中央壁板７５の外面の下部に重ね合せて、ひも（又は帯状体）９１を基台１０の下に設けた切欠き１３ａ，１３ｂを通過させて蓋９０を被せた収納箱５０を巻き締めして第２の壁板形成部材７０の中央壁板７５を収納箱５０に固定させて収納包装箱１００を強固に梱包する。
【００３０】
上記した実施の形態における段ボールの材料として片面、両面、複両面、複々両面段ボールを単品又は２つ以上組み合せて用いることができる。また、段ボールを使用せずに、段ボール形態のプラスチックや樹脂製ボードを使用してもよい。また、隔室スペーサーは角筒形状の内側にＶ字型、Ｈ字型、Ｕ字型、Ｌ宇型等の上部からの荷重保持効果のある形状のパット８６ａを装着するとよい。
【００３１】
【発明の効果】
以上説明したように本発明では、収納包装箱を側壁の１つが開口した未完成な状態で形成し、薄板部材を開口から搬入し、搬入が終了した後、収納包装箱の開口を覆って側壁を形成し収納包装箱が完成するように構成したから、収納包装箱に収納される薄板部材を収納包装箱の上部まで持ち上げなくても収納作業ができ、薄板部材の収納作業時の落下等による衝撃による損傷が起きにくい等優れた効果を奏する。
【図面の簡単な説明】
【図１】本発明の第１実施形態を示す分解斜視図である。
【図２】図１の収納包装箱の外郭部分の分解斜視図である。
【図３】図１の収納包装箱の仕切り部材の分解斜視図である。
【図４】図１の収納包装箱の梱包が完成した状態の斜視図である。
【図５】図４のＡ−Ａ線での断面図である。
【図６】従来例を示す分解斜視図である。
【符号の説明】
１０  基台
１１  長い板材
１２  短い板材
１３ａ，１３ｂ  切欠き
２０  天板
２１  基板
２２，２３，２４，２５  側板
２２ａ，２２ｂ，２３ａ，２３ｂ，２４ａ，２４ｂ  係合孔
３０  パレット
３１  固定具
４０  第１の壁板形成部材
４３  中央壁板
４２，４４  側壁板
４３ａ４３ｂ，４２ａ，４２ｂ，４４ａ，４４ｂ  係合孔
５０  収納箱
５１，８４，８７  緩衝用スペーサ
５２  板材
５３  緩衝材
６０  仕切り部材
６１  仕切り板
６１ａ，６２ａ  スリット
６２  仕切り側板
６５  薄板部材
６６  緩衝材
６７  保護用薄板部材
７０  第２の壁板形成部材
７２，７４  側壁板
７５  中央壁板
８６  隔室スペーサ
９１  ひも（又は帯状体）
１００  収納包装箱
６３０，６３１，６３２，６３３，６３４，６３５ａ，６３５ｂ，６３６ａ，６３６ｂ，６３７ａ，６３７ｂ  区画部
【図１】
2004291978.tif 000003
【図２】
2004291978.tif 000004
【図３】
2004291978.tif 000005
【図４】
2004291978.tif 000006
【図５】
2004291978.tif 000007
【図６】
2004291978.tif 000008